(57)【要約】【課題】コンテンツの配信元と配信先との間における通信回線の混雑を解消するとともに、コンテンツ配信の利便性の向上を図ること。【解決手段】コンテンツＣの放送日の放送時間中である場合、受信部７０１により、地上デジタルラジオ放送波、すなわち、一連のモジュールＭを受信する。すべてのモジュールＭが受信されていない場合、コンテンツＣの放送時間が終了していなければ、地上デジタルラジオ放送波の受信を継続する。一方、すべてのモジュールＭが受信された場合、結合部７０４によるモジュール結合を実行する。そして、操作部７０６による再生開始入力があった場合、コンテンツＣを再生し、音声出力部７０８から音声を出力、または、表示部７０９の表示画面に画像データまたはテキストデータを表示する。【選択図】        図７
2006319461.tif 000002
【特許請求の範囲】
【請求項１】
地上デジタルラジオ放送波としてデータカルーセル伝送方式によって周期的に放送される、任意のコンテンツを分割して得られた一連のモジュールデータを受信する受信手段と、
前記受信手段によって受信されたモジュールを結合して、前記コンテンツを生成する結合手段と、
を備えることを特徴とする受信装置。
【請求項２】
地上デジタルラジオ放送波としてデータカルーセル伝送方式によって周期的に放送される、暗号化された任意のコンテンツを分割して得られた一連のモジュールデータを受信する受信手段と、
前記受信手段によって受信されたモジュールデータを結合して前記コンテンツを生成する結合手段と、
前記結合手段によって結合されたコンテンツを復号する復号手段と、
を備えることを特徴とする受信装置。
【請求項３】
前記コンテンツを復号する復号化情報を、当該復号化情報を記憶するサーバから通信回線を介して取得する取得手段を備え、
前記結合手段は、
前記取得手段によって取得された復号化情報を用いて、前記結合手段によって結合されたコンテンツを復号することを特徴とする請求項２に記載の受信装置。
【請求項４】
前記地上デジタルラジオ放送波として放送されたすべてのモジュールデータが前記受信手段によって受信されたか否かを判定する判定手段と、
前記判定手段によって判定された判定結果に基づいて、前記受信手段によって受信されなかったモジュールデータを、当該モジュールデータを記憶するサーバから通信回線を介して取得する取得手段と、を備え、
前記結合手段は、
前記受信手段によって受信されたモジュールデータと前記取得手段によって取得されたモジュールデータとを結合して前記コンテンツを生成することを特徴とする請求項１または２に記載の受信装置。
【請求項５】
前記地上デジタルラジオ放送波として放送されたすべてのモジュールデータが前記受信手段によって受信されたか否かを判定する判定手段と、
前記判定手段によって、前記受信手段により前記すべてのモジュールデータが受信されなかったと判定された場合、前記コンテンツを、当該コンテンツを記憶するサーバから通信回線を介して取得する取得手段と、
を備えることを特徴とする請求項１または２に記載の受信装置。
【請求項６】
任意のコンテンツを分割して得られた一連のモジュールデータのうち、地上デジタルラジオ放送波としてデータカルーセル伝送方式によって周期的に放送されるモジュールデータを受信する受信手段と、
前記一連のモジュールデータのうち、前記地上デジタルラジオ放送波として放送されないモジュールデータを、前記一連のモジュールデータを記憶するサーバから通信回線を介して取得する取得手段と、
前記受信手段によって受信されたモジュールデータと前記取得手段によって取得されたモジュールデータとを結合して前記コンテンツを生成する結合手段と、
を備えることを特徴とする受信装置。
【請求項７】
前記地上デジタルラジオ放送波として放送されたすべてのモジュールデータが前記受信手段によって受信されたか否かを判定する判定手段と、を備え、
前記取得手段は、
前記判定手段によって判定された判定結果に基づいて、前記一連のモジュールデータのうち前記受信手段によって受信されなかったモジュールデータを、前記サーバから通信回線を介して取得するとともに、前記地上デジタルラジオ放送波として放送されないモジュールデータを、前記サーバから通信回線を介して取得することを特徴とする請求項６に記載の受信装置。
【請求項８】
前記地上デジタルラジオ放送波として放送されたすべてのモジュールデータが前記受信手段によって受信されたか否かを判定する判定手段を備え、
前記取得手段は、
前記判定手段によって、前記受信手段により前記すべてのモジュールデータが受信されなかったと判定された場合、前記コンテンツを、当該コンテンツを記憶するサーバから通信回線を介して取得することを特徴とする請求項６に記載の受信装置。
【請求項９】
前記コンテンツを再生する再生手段を備えることを特徴とする請求項１〜８のいずれか一つに記載の受信装置。
【請求項１０】
地上デジタルラジオ放送波としてデータカルーセル伝送方式によって周期的に放送される、任意のコンテンツを分割して得られた一連のモジュールデータを受信する受信工程と、
前記受信工程によって受信されたモジュールを結合して、前記コンテンツを生成する結合工程と、
を含んだことを特徴とする受信方法。
【請求項１１】
地上デジタルラジオ放送波としてデータカルーセル伝送方式によって周期的に放送される、暗号化された任意のコンテンツを分割して得られた一連のモジュールデータを受信する受信工程と、
前記受信工程によって受信されたモジュールデータを結合して前記コンテンツを生成する結合工程と、
前記結合工程によって結合されたコンテンツを復号する復号工程と、
を含んだことを特徴とする受信方法。
【請求項１２】
前記コンテンツを復号する復号化情報を、当該復号化情報を記憶するサーバから通信回線を介して取得する取得工程を含み、
前記結合工程は、
前記取得工程によって取得された復号化情報を用いて、前記結合工程によって結合されたコンテンツを復号することを特徴とする請求項１１に記載の受信方法。
【請求項１３】
前記地上デジタルラジオ放送波として放送されたすべてのモジュールデータが前記受信工程によって受信されたか否かを判定する判定工程と、
前記判定工程によって判定された判定結果に基づいて、前記受信工程によって受信されなかったモジュールデータを、当該モジュールデータを記憶するサーバから通信回線を介して取得する取得工程と、を含み、
前記結合工程は、
前記受信工程によって受信されたモジュールデータと前記取得工程によって取得されたモジュールデータとを結合して前記コンテンツを生成することを特徴とする請求項１０または１１に記載の受信方法。
【請求項１４】
前記地上デジタルラジオ放送波として放送されたすべてのモジュールデータが前記受信工程によって受信されたか否かを判定する判定工程と、
前記判定工程によって、前記受信工程により前記すべてのモジュールデータが受信されなかったと判定された場合、前記コンテンツを、当該コンテンツを記憶するサーバから通信回線を介して取得する取得工程と、
を含んだことを特徴とする請求項１０または１１に記載の受信方法。
【請求項１５】
任意のコンテンツを分割して得られた一連のモジュールデータのうち、地上デジタルラジオ放送波としてデータカルーセル伝送方式によって周期的に放送されるモジュールデータを受信する受信工程と、
前記一連のモジュールデータのうち、前記地上デジタルラジオ放送波として放送されないモジュールデータを、前記一連のモジュールデータを記憶するサーバから通信回線を介して取得する取得工程と、
前記受信工程によって受信されたモジュールデータと前記取得工程によって取得されたモジュールデータとを結合して前記コンテンツを生成する結合工程と、
を含んだことを特徴とする受信方法。
【請求項１６】
前記地上デジタルラジオ放送波として放送されたすべてのモジュールデータが前記受信工程によって受信されたか否かを判定する判定工程と、を含み、
前記取得工程は、
前記判定工程によって判定された判定結果に基づいて、前記一連のモジュールデータのうち前記受信工程によって受信されなかったモジュールデータを、前記サーバから通信回線を介して取得するとともに、前記地上デジタルラジオ放送波として放送されないモジュールデータを、前記サーバから通信回線を介して取得することを特徴とする請求項１５に記載の受信方法。
【請求項１７】
前記地上デジタルラジオ放送波として放送されたすべてのモジュールデータが前記受信工程によって受信されたか否かを判定する判定工程を含み、
前記取得工程は、
前記判定工程によって、前記受信工程により前記すべてのモジュールデータが受信されなかったと判定された場合、前記コンテンツを、当該コンテンツを記憶するサーバから通信回線を介して取得することを特徴とする請求項１５に記載の受信方法。
【請求項１８】
前記コンテンツを再生する再生工程を含んだことを特徴とする請求項１０〜１７のいずれか一つに記載の受信方法。
【請求項１９】
請求項１０〜１８のいずれか一つに記載の受信方法をコンピュータに実行させることを特徴とする受信プログラム。
【発明の詳細な説明】
【技術分野】
【０００１】
この発明は、音声、画像、テキストなどのコンテンツを受信する受信装置、受信方法、および受信プログラムに関する。
【背景技術】
【０００２】
従来から、通信回線を利用して、携帯電話機などの多数の携帯端末に対してサーバからコンテンツを配信するコンテンツ配信システムが各種提案されている（たとえば、下記特許文献１〜６を参照。）。図１４は、上述した従来のコンテンツ配信システムを示す概略構成図、図１５は、同シーケンス図である。図１４において、コンテンツ配信システム１４００では、携帯端末１４０３から基地局１４０２およびパケット通信網などのデータ通信網１４１０を介してコンテンツ配信サーバ１４０１にコンテンツの配信要求をおこなうと、コンテンツ配信サーバ１４０１は、配信要求のあったコンテンツを、データ通信網１４１０および基地局１４０２を介して、配信要求をした携帯端末１４０３に配信する。
【０００３】
具体的には、図１５において、まず、コンテンツ配信サーバ１４０１は、携帯端末１４０３にコンテンツの配信曜日が指定された番組表を配信する（１５０１）。携帯端末１４０３は、番組表を受信すると、番組表を参照して、所望のコンテンツの指定データを、コンテンツ配信サーバ１４０１に送信する（１５０２）。コンテンツ配信サーバ１４０１は、コンテンツの指定データを受信すると、指定されたコンテンツの配信日時情報を、携帯端末１４０３に通知する（１５０３）。
【０００４】
配信日時になると、携帯端末１４０３からコンテンツ配信要求データをコンテンツ配信サーバ１４０１に送信する（１５０４）。コンテンツ配信サーバ１４０１は、コンテンツ配信要求データを受信すると、その携帯端末１４０３に対して、指定データによって指定されたコンテンツを配信する（１５０５）。このように、コンテンツ配信サーバと携帯端末との１対１通信により、コンテンツの配信が行われる。
【０００５】
【特許文献１】特開２００２−２８１１５６号公報
【特許文献２】特開２００２−２０７４９１号公報
【特許文献３】特開２００４−１３８９７２号公報
【特許文献４】特開２００４−２２９１２２号公報
【特許文献５】特開２００４−２９０６８５号公報
【特許文献６】特開２００５−０２０３１２号公報
【発明の開示】
【発明が解決しようとする課題】
【０００６】
しかしながら、上述した従来のコンテンツ配信システムでは、ユーザの携帯端末からコンテンツ配信サーバに対しコンテンツの取得要求を送信し、この取得要求に応じてコンテンツ配信サーバと各携帯端末との一対一通信によってコンテンツを配信しているため、データ通信網が混雑し、コンテンツをダウンロードする速度が低下するという問題があった。
【０００７】
また、この混雑を回避するため、携帯端末のユーザは、トラフィックの少ない深夜などの時間帯にコンテンツの配信を受けるなど、コンテンツ配信サービスを受けるためには時間的制約が実質的に強いられることとなる。すなわち、高速にダウンロードするためには、ユーザは、深夜などの時間帯にコンテンツの取得要求の入力操作をおこなわなければならないため面倒であったり、昼間の時間帯に取得要求の入力操作を予約という形で行ったとしてもコンテンツの配信が深夜に行われるまで待たなければならなかったり、コンテンツ配信サービスの利用が不便であるという問題があった。
【０００８】
この発明は、上述した従来技術による問題点を解消するため、コンテンツの配信元と配信先との間における通信回線の混雑を解消するとともに、コンテンツ配信の利便性の向上を図ることができる受信装置、受信方法、および受信プログラムを提供することを目的とする。
【課題を解決するための手段】
【０００９】
上述した課題を解決し、目的を達成するため、請求項１の発明にかかる受信装置は、地上デジタルラジオ放送波としてデータカルーセル伝送方式によって周期的に放送される、任意のコンテンツを分割して得られた一連のモジュールデータを受信する受信手段と、前記受信手段によって受信されたモジュールを結合して、前記コンテンツを生成する結合手段と、を備えることを特徴とする。
【００１０】
この請求項１の発明によれば、受信装置からコンテンツの取得要求をしなくても、地上デジタルラジオ放送波を受信するだけでコンテンツをダウンロードすることができる。
【００１１】
また、請求項２の発明にかかる受信装置は、地上デジタルラジオ放送波としてデータカルーセル伝送方式によって周期的に放送される、暗号化された任意のコンテンツを分割して得られた一連のモジュールデータを受信する受信手段と、前記受信手段によって受信されたモジュールデータを結合して前記コンテンツを生成する結合手段と、前記結合手段によって結合されたコンテンツを復号する復号手段と、を備えることを特徴とする。
【００１２】
この請求項２の発明によれば、受信装置から暗号化されたコンテンツの取得要求をしなくても、地上デジタルラジオ放送波を受信するだけで暗号化されたコンテンツをダウンロードすることができる。また、暗号化されたコンテンツを受信装置において復号することができる。
【００１３】
また、請求項３の発明にかかる受信装置は、請求項２に記載の発明において、前記コンテンツを復号する復号化情報を、当該復号化情報を記憶するサーバから通信回線を介して取得する取得手段を備え、前記結合手段は、前記取得手段によって取得された復号化情報を用いて、前記結合手段によって結合されたコンテンツを復号することを特徴とする。
【００１４】
この請求項３の発明によれば、特定の受信装置のみコンテンツを正式にダウンロードすることができる。
【００１５】
また、請求項４の発明にかかる受信装置は、請求項１または２に記載の発明において、前記地上デジタルラジオ放送波として放送されたすべてのモジュールデータが前記受信手段によって受信されたか否かを判定する判定手段と、前記判定手段によって判定された判定結果に基づいて、前記受信手段によって受信されなかったモジュールデータを、当該モジュールデータを記憶するサーバから通信回線を介して取得する取得手段と、を備え、前記結合手段は、前記受信手段によって受信されたモジュールデータと前記取得手段によって取得されたモジュールデータとを結合して前記コンテンツを生成することを特徴とする。
【００１６】
この請求項４の発明によれば、受信状況によりコンテンツの放送時間中にモジュールデータをすべて受信できず、欠落モジュールが発生した場合であっても、コンテンツの放送時間外において欠落モジュールを補完することにより、コンテンツをダウンロードすることができる。
【００１７】
また、請求項５の発明にかかる受信装置は、請求項１または２に記載の発明において、前記地上デジタルラジオ放送波として放送されたすべてのモジュールデータが前記受信手段によって受信されたか否かを判定する判定手段と、前記判定手段によって、前記受信手段により前記すべてのモジュールデータが受信されなかったと判定された場合、前記コンテンツを、当該コンテンツを記憶するサーバから通信回線を介して取得する取得手段と、を備えることを特徴とする。
【００１８】
この請求項５の発明によれば、受信状況によりコンテンツの放送時間中にモジュールデータをすべて受信できず、欠落モジュールが発生した場合であっても、コンテンツの放送時間外においてコンテンツをダウンロードすることができる。
【００１９】
また、請求項６の発明にかかる受信装置は、任意のコンテンツを分割して得られた一連のモジュールデータのうち、地上デジタルラジオ放送波としてデータカルーセル伝送方式によって周期的に放送されるモジュールデータを受信する受信手段と、前記一連のモジュールデータのうち、前記地上デジタルラジオ放送波として放送されないモジュールデータを、前記一連のモジュールデータを記憶するサーバから通信回線を介して取得する取得手段と、前記受信手段によって受信されたモジュールデータと前記取得手段によって取得されたモジュールデータとを結合して前記コンテンツを生成する結合手段と、を備えることを特徴とする。
【００２０】
この請求項６の発明によれば、１つのコンテンツに関するモジュールデータを地上デジタルラジオ放送波による放送と、通信回線を介した通信とに、配信方法を分けることにより、コンテンツを正式にダウンロードできる受信装置を限定することができる。
【００２１】
また、請求項７の発明にかかる受信装置は、請求項６に記載の発明において、前記地上デジタルラジオ放送波として放送されたすべてのモジュールデータが前記受信手段によって受信されたか否かを判定する判定手段と、を備え、前記取得手段は、前記判定手段によって判定された判定結果に基づいて、前記一連のモジュールデータのうち前記受信手段によって受信されなかったモジュールデータを、前記サーバから通信回線を介して取得するとともに、前記地上デジタルラジオ放送波として放送されないモジュールデータを、前記サーバから通信回線を介して取得することを特徴とする。
【００２２】
この請求項７の発明によれば、受信状況によりコンテンツの放送時間中にモジュールデータをすべて受信できず、欠落モジュールが発生した場合であっても、コンテンツの放送時間外において欠落モジュールを補完することにより、コンテンツをダウンロードすることができる。
【００２３】
また、請求項８の発明にかかる受信装置は、請求項６に記載の発明において、前記地上デジタルラジオ放送波として放送されたすべてのモジュールデータが前記受信手段によって受信されたか否かを判定する判定手段を備え、前記取得手段は、前記判定手段によって、前記受信手段により前記すべてのモジュールデータが受信されなかったと判定された場合、前記コンテンツを、当該コンテンツを記憶するサーバから通信回線を介して取得することを特徴とする。
【００２４】
この請求項８の発明によれば、受信状況によりコンテンツの放送時間中にモジュールデータをすべて受信できず、欠落モジュールが発生した場合であっても、コンテンツの放送時間外においてコンテンツをダウンロードすることができる。
【００２５】
また、請求項９の発明にかかる受信装置は、請求項１〜８のいずれか一つに記載の発明において、前記コンテンツを再生する再生手段を備えることを特徴とする。
【００２６】
この請求項９の発明によれば、コンテンツをダウンロードした受信装置においてコンテンツを視聴することができる。
【００２７】
また、請求項１０の発明にかかる受信方法は、地上デジタルラジオ放送波としてデータカルーセル伝送方式によって周期的に放送される、任意のコンテンツを分割して得られた一連のモジュールデータを受信する受信工程と、前記受信工程によって受信されたモジュールを結合して、前記コンテンツを生成する結合工程と、を含んだことを特徴とする。
【００２８】
この請求項１０の発明によれば、受信装置からコンテンツの取得要求をしなくても、地上デジタルラジオ放送波を受信するだけでコンテンツをダウンロードすることができる。
【００２９】
また、請求項１１の発明にかかる受信方法は、地上デジタルラジオ放送波としてデータカルーセル伝送方式によって周期的に放送される、暗号化された任意のコンテンツを分割して得られた一連のモジュールデータを受信する受信工程と、前記受信工程によって受信されたモジュールデータを結合して前記コンテンツを生成する結合工程と、前記結合工程によって結合されたコンテンツを復号する復号工程と、を含んだことを特徴とする。
【００３０】
この請求項１１の発明によれば、受信装置から暗号化されたコンテンツの取得要求をしなくても、地上デジタルラジオ放送波を受信するだけで暗号化されたコンテンツをダウンロードすることができる。また、暗号化されたコンテンツを受信装置において復号することができる。
【００３１】
また、請求項１２の発明にかかる受信方法は、請求項１１の発明において、前記コンテンツを復号する復号化情報を、当該復号化情報を記憶するサーバから通信回線を介して取得する取得工程を含み、前記結合工程は、前記取得工程によって取得された復号化情報を用いて、前記結合工程によって結合されたコンテンツを復号することを特徴とする。
【００３２】
この請求項１２の発明によれば、特定の受信先のみコンテンツを正式にダウンロードすることができる。
【００３３】
また、請求項１３の発明にかかる受信方法は、請求項１０または１１に記載の発明において、前記地上デジタルラジオ放送波として放送されたすべてのモジュールデータが前記受信工程によって受信されたか否かを判定する判定工程と、前記判定工程によって判定された判定結果に基づいて、前記受信工程によって受信されなかったモジュールデータを、当該モジュールデータを記憶するサーバから通信回線を介して取得する取得工程と、を含み、前記結合工程は、前記受信工程によって受信されたモジュールデータと前記取得工程によって取得されたモジュールデータとを結合して前記コンテンツを生成することを特徴とする。
【００３４】
この請求項１３の発明によれば、受信状況によりコンテンツの放送時間中にモジュールデータをすべて受信できず、欠落モジュールが発生した場合であっても、コンテンツの放送時間外において欠落モジュールを補完することにより、コンテンツをダウンロードすることができる。
【００３５】
また、請求項１４の発明にかかる受信方法は、請求項１０または１１に記載の発明において、前記地上デジタルラジオ放送波として放送されたすべてのモジュールデータが前記受信工程によって受信されたか否かを判定する判定工程と、前記判定工程によって、前記受信工程により前記すべてのモジュールデータが受信されなかったと判定された場合、前記コンテンツを、当該コンテンツを記憶するサーバから通信回線を介して取得する取得工程と、を含んだことを特徴とする。
【００３６】
この請求項１４の発明によれば、受信状況によりコンテンツの放送時間中にモジュールデータをすべて受信できず、欠落モジュールが発生した場合であっても、コンテンツの放送時間外においてコンテンツをダウンロードすることができる。
【００３７】
また、請求項１５の発明にかかる受信方法は、任意のコンテンツを分割して得られた一連のモジュールデータのうち、地上デジタルラジオ放送波としてデータカルーセル伝送方式によって周期的に放送されるモジュールデータを受信する受信工程と、前記一連のモジュールデータのうち、前記地上デジタルラジオ放送波として放送されないモジュールデータを、前記一連のモジュールデータを記憶するサーバから通信回線を介して取得する取得工程と、前記受信工程によって受信されたモジュールデータと前記取得工程によって取得されたモジュールデータとを結合して前記コンテンツを生成する結合工程と、を含んだことを特徴とする。
【００３８】
この請求項１５の発明によれば、１つのコンテンツに関するモジュールデータを地上デジタルラジオ放送波による放送と、通信回線を介した通信とに、配信方法を分けることにより、コンテンツを正式にダウンロードできる受信装置を限定することができる。
【００３９】
また、請求項１６の発明にかかる受信方法は、請求項１５に記載の発明において、前記地上デジタルラジオ放送波として放送されたすべてのモジュールデータが前記受信工程によって受信されたか否かを判定する判定工程と、を含み、前記取得工程は、前記判定工程によって判定された判定結果に基づいて、前記一連のモジュールデータのうち前記受信工程によって受信されなかったモジュールデータを、前記サーバから通信回線を介して取得するとともに、前記地上デジタルラジオ放送波として放送されないモジュールデータを、前記サーバから通信回線を介して取得することを特徴とする。
【００４０】
この請求項１６の発明によれば、受信状況によりコンテンツの放送時間中にモジュールデータをすべて受信できず、欠落モジュールが発生した場合であっても、コンテンツの放送時間外において欠落モジュールを補完することにより、コンテンツをダウンロードすることができる。
【００４１】
また、請求項１７の発明にかかる受信方法は、請求項１５に記載の発明において、前記地上デジタルラジオ放送波として放送されたすべてのモジュールデータが前記受信工程によって受信されたか否かを判定する判定工程を含み、前記取得工程は、前記判定工程によって、前記受信工程により前記すべてのモジュールデータが受信されなかったと判定された場合、前記コンテンツを、当該コンテンツを記憶するサーバから通信回線を介して取得することを特徴とする。
【００４２】
この請求項１７の発明によれば、受信状況によりコンテンツの放送時間中にモジュールデータをすべて受信できず、欠落モジュールが発生した場合であっても、コンテンツの放送時間外においてコンテンツをダウンロードすることができる。
【００４３】
また、請求項１８の発明にかかる受信方法は、請求項１０〜１７のいずれか一つに記載の発明において、前記コンテンツを再生する再生工程を含んだことを特徴とする。
【００４４】
この請求項１８の発明によれば、コンテンツをダウンロードした受信装置においてコンテンツを視聴することができる。
【００４５】
また、請求項１９の発明にかかる受信プログラムは、請求項１０〜１８のいずれか一つに記載の受信方法をコンピュータに実行させることを特徴とする。
【００４６】
この請求項１９の発明によれば、請求項１０〜１８のいずれか一つに記載の受信方法をコンピュータによって実現することができる。
【発明の効果】
【００４７】
本発明にかかる受信装置、受信方法、および受信プログラムによれば、コンテンツの配信元と配信先との間における通信回線の混雑を解消するとともに、コンテンツ配信の利便性の向上を図ることができるという効果を奏する。
【発明を実施するための最良の形態】
【００４８】
以下に添付図面を参照して、この発明にかかる受信装置、受信方法、および受信プログラムの好適な実施の形態を詳細に説明する。
【００４９】
（コンテンツ配信システムのシステム構成）
まず、この発明の実施の形態にかかるコンテンツ配信システムのシステム構成について説明する。図１は、この発明の実施の形態にかかるコンテンツ配信システムのシステム構成を示す説明図である。図１において、コンテンツ配信システム１００は、コンテンツＣを管理するコンテンツ管理サーバ１０１と、複数の基地局１０２と、放送局サーバ１０３と、放送装置１０４と、複数の受信装置１０５とによって構成される。
【００５０】
コンテンツ管理サーバ１０１は、受信装置１０５への配信対象となるコンテンツＣを記憶する。コンテンツＣとは、たとえば、歌、曲、メロディなどの音声に関するコンテンツＣ、受信装置１０５の表示画面に表示させる画像データやテキストデータである。ここでは、一例として、１コンテンツのデータ容量は２５６［ＫＢ］より大きいデータ容量である。
【００５１】
コンテンツ管理サーバ１０１では、各コンテンツＣを複数のファイルに分割する。このファイルをモジュールデータ（以下、単に「モジュールＭ」という）という。１モジュールのデータ容量は、最大で２５６［ＫＢ］である。各モジュールＭはヘッダを有し、元となるコンテンツＣの識別情報と他のモジュールＭに対する位置情報が含まれている。最終的に、任意のコンテンツＣを断片化したすべてのモジュールＭを結合する場合、ヘッダに含まれている識別情報と位置情報とを手掛かりにしてコンテンツＣを元の状態に構築する。
【００５２】
また、放送局サーバ１０３は、インターネット網１１０を介してコンテンツ管理サーバ１０１と相互に交信可能に接続されている。放送局サーバ１０３は、コンテンツ管理サーバ１０１から、コンテンツＣごとにそのモジュールＭを受信し、放送装置１０４に転送する。なお、放送局サーバ１０３は、上述したコンテンツ管理サーバ１０１を兼用してもよい。
【００５３】
また、放送装置１０４は、地上デジタルラジオ放送アンテナを有し、上述したモジュールＭを地上デジタルラジオ放送波として、地上デジタルラジオ放送アンテナからデータカルーセル伝送方式により周期的に放送する。放送装置１０４は、具体的には、規格番号：ＡＲＩＢ  ＳＴＤ−Ｂ２９（標準規格名：地上デジタル音声放送の伝送方式）によって規格された方式により、地上デジタルラジオ放送をおこなう。また、データカルーセル伝送方式は、規格番号：ＡＲＩＢ  ＳＴＤ−Ｂ２４によって規格された方式（標準規格名：地上デジタル音声放送の伝送方式データカルーセル伝送方式）、各種データを放送によってダウンロードすることを目的として、データを繰り返し配信する、ＩＳＯ／ＩＥＣ  １３８１８−６で定義された方式である。
【００５４】
また、複数の基地局１０２は、パケット通信網などのデータ通信網１２０を介してコンテンツ管理サーバ１０１や放送局サーバ１０３と接続されており、受信装置１０５とコンテンツ管理サーバ１０１や放送局サーバ１０３との間のデータを中継する。また、受信装置１０５は、放送装置１０４の地上デジタルラジオ放送アンテナから、地上デジタルラジオ放送波を受信する。また、受信装置１０５は、基地局１０２からデータ通信網１２０を介して、無線によりコンテンツ管理サーバ１０１および放送局サーバ１０３と通信することもできる。受信装置１０５としては、たとえば、携帯電話機、携帯型ラジオ、受信機を搭載した車載オーディオ、カーナビゲーション装置、ＰＤＡ、パーソナル・コンピュータ、ＰＤＡ／パーソナル・コンピュータ用の受信アダプタなどが挙げられる。
【００５５】
（コンテンツ管理サーバ１０１および放送局サーバ１０３のハードウェア構成）
つぎに、上述したコンテンツ管理サーバ１０１および放送局サーバ１０３のハードウェア構成について説明する。図２は、コンテンツ管理サーバ１０１および放送局サーバ１０３のハードウェア構成を示すブロック図である。
【００５６】
図２において、コンテンツ管理サーバ１０１および放送局サーバ１０３（以下、図２の説明において、単に「サーバ２００」という。）は、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フレキシブルディスクドライブ）２０６と、着脱可能な記録媒体の一例としてのＦＤ（フレキシブルディスク）２０７と、ディスプレイ２０８と、Ｉ／Ｆ（インターフェース）２０９と、キーボード２１０と、マウス２１１と、スキャナ２１２と、プリンタ２１３と、を備えている。また、各構成部はバス２１４によってそれぞれ接続されている。
【００５７】
ここで、ＣＰＵ２０１は、サーバ２００の全体の制御を司る。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００５８】
ＦＤＤ２０６は、ＣＰＵ２０１の制御にしたがってＦＤ２０７に対するデータのリード／ライトを制御する。ＦＤ２０７は、ＦＤＤ２０６の制御で書き込まれたデータを記憶したり、ＦＤ２０７に記憶されたデータをサーバ２００に読み取らせたりする。
【００５９】
また、着脱可能な記録媒体として、ＦＤ２０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリーカードなどであってもよい。ディスプレイ２０８は、カーソル、アイコンあるいはツールボックスをはじめ、文書、画像、機能情報などのデータを表示する。このディスプレイ２０８は、たとえば、ＣＲＴ、ＴＦＴ液晶ディスプレイ、プラズマディスプレイなどを採用することができる。
【００６０】
Ｉ／Ｆ２０９は、図１に示したインターネット網１１０およびデータ通信網１２０に接続され、このインターネット網１１０およびデータ通信網１２０を介して他の装置に接続される。そして、Ｉ／Ｆ２０９は、インターネット網１１０およびデータ通信網１２０と内部のインターフェースを司り、外部装置からのデータの入出力を制御する。Ｉ／Ｆ２０９には、たとえばモデムやＬＡＮアダプタなどを採用することができる。
【００６１】
キーボード２１０は、文字、数字、各種指示などの入力のためのキーを備え、データの入力をおこなう。また、タッチパネル式の入力パッドやテンキーなどであってもよい。マウス２１１は、カーソルの移動や範囲選択、あるいはウィンドウの移動やサイズの変更などをおこなう。ポインティングデバイスとして同様に機能を備えるものであれば、トラックボールやジョイスティックなどであってもよい。
【００６２】
スキャナ２１２は、画像を光学的に読み取り、サーバ２００内に画像データを取り込む。なお、スキャナ２１２は、ＯＣＲ機能を持たせてもよい。また、プリンタ２１３は、画像データや文書データを印刷する。プリンタ２１３には、たとえば、レーザプリンタやインクジェットプリンタを採用することができる。
【００６３】
（放送装置１０４のハードウェア構成）
つぎに、上述した放送装置１０４のハードウェア構成について説明する。図３は、放送装置１０４のハードウェア構成を示すブロック図である。図３において、放送装置１０４は、ＣＰＵ３０１と、ＲＯＭ３０２と、ＲＡＭ３０３と、ＨＤＤ（ハードディスクドライブ）３０４と、ＨＤ（ハードディスク）３０５と、Ｉ／Ｆ（インターフェース）３０６と、ＯＦＤＭ変調器３０７と、送信機３０８と、地上デジタルラジオ放送アンテナ３０９と、を備えている。また、各構成部はバス３００によってそれぞれ接続されている。
【００６４】
ここで、ＣＰＵ３０１は、放送装置１０４の全体の制御を司る。ＲＯＭ３０２は、ブートプログラムなどのプログラムを記憶している。ＲＡＭ３０３は、ＣＰＵ３０１のワークエリアとして使用される。ＨＤＤ３０４は、ＣＰＵ３０１の制御にしたがってＨＤ３０５に対するデータのリード／ライトを制御する。ＨＤ３０５は、ＨＤＤ３０４の制御で書き込まれたデータを記憶する。
【００６５】
Ｉ／Ｆ３０６は、放送局サーバ１０３に接続され、放送局サーバ１０３からのデータの入出力を制御する。Ｉ／Ｆ３０６には、たとえばモデムやＬＡＮアダプタなどを採用することができる。ＯＦＤＭ変調器３０７は、放送するデータを、直交波周波数分割多重方式によりデジタル変調する。ＯＦＤＭ変調器３０７によってデジタル変調することにより広帯域伝送が実現され、周波数の利用効率が向上する。
【００６６】
また、送信機３０８は、ＯＦＤＭ変調器３０７からの変調信号に対して、周波数変換、電力増幅および帯域ろ過を施し、地上デジタルラジオ放送アンテナ３０９に出力する。地上デジタルラジオ放送アンテナ３０９は、たとえば空中線形式のアンテナであり、送信機３０８からの出力を放送波に重畳して、地上デジタルラジオ放送波として放送する。
【００６７】
（受信装置１０５のハードウェア構成）
つぎに、上述した受信装置１０５のハードウェア構成について説明する。図４は、受信装置１０５のハードウェア構成を示すブロック図である。図４において、受信装置１０５は、ＣＰＵ４０１と、ＲＯＭ４０２と、ＲＡＭ４０３と、ディスプレイ４０４と、通信Ｉ／Ｆ（インターフェース）４０５と、通信アンテナ４０６と、入力キー４０７と、マイク４０８と、スピーカ４０９と、放送波受信アンテナ４１０と、チューナ４１１と、ＯＦＤＭ復調器４１２と、を備えている。また、各構成部はバス４００によってそれぞれ接続されている。
【００６８】
ここで、ＣＰＵ４０１は、受信装置１０５の全体の制御を司る。ＲＯＭ４０２は、ブートプログラムなどのプログラムを記憶している。ＲＡＭ４０３は、ＣＰＵ４０１のワークエリアとして使用される。また、バス４００を介して書き込まれたデータを記憶する。ディスプレイ４０４は、カーソル、アイコンあるいはツールボックスをはじめ、文書、画像、機能情報などのデータを表示する。このディスプレイ４０４は、たとえば、ＴＦＴ液晶ディスプレイ、有機ＥＬディスプレイなどを採用することができる。
【００６９】
通信Ｉ／Ｆ４０５は、基地局１０２からのデータの入出力を制御する。通信Ｉ／Ｆ４０５には、たとえばモデムやＬＡＮアダプタなどを採用することができる。通信アンテナ４０６は、基地局１０２とのデータを送受信する。入力キー４０７は、文字、数字、各種指示などの入力のためのキーを備え、データの入力をおこなう。また、タッチパネル式であってもよい。マイク４０８は、外部からの音声を入力し、スピーカ４０９は外部に音声を出力する。
【００７０】
放送波受信アンテナ４１０は、地上デジタルラジオ放送アンテナ３０９から放送される地上デジタルラジオ放送波を受信する。チューナ４１１は、地上デジタルラジオ放送アンテナ３０９から受信した地上デジタルラジオ放送波のうち目的の地上デジタルラジオ放送波を選局する。ＯＦＤＭ復調器４１２は、チューナ４１１によって選局された地上デジタルラジオ放送波を、直交波周波数分割多重方式によりデジタル復調する。
【００７１】
なお、図４において、チューナ４１１およびＯＦＤＭ復調器４１２はフロントエンドを構成しているが、デマルチプレクサやＤＳＭ−Ｃ（Ｄｉｇｉｔａｌ  Ｍｅｄｉａ  Ｃｏｍｍａｎｄ  ａｎｄ  Ｃｎｔｒｏｌ）デコーダを設けて、バックエンドをハードウェア的に構成してもよく、また、上述したＲＯＭ４０２、ＲＡＭ４０３などの記録媒体に記録されたプログラムをＣＰＵ４０１に実行させることによりデマルチプレクサやＤＳＭ−Ｃの機能を実現することにより、バックエンドをソフトウェア的に構成することとしてもよい。
【００７２】
（データカルーセル伝送方式）
つぎに、この発明の実施の形態にかかるデータカルーセル伝送方式について説明する。図５は、この発明の実施の形態にかかる放送装置１０４におけるデータカルーセル伝送方式を示す説明図であり、図６は、この発明の実施の形態にかかる受信装置１０５におけるデータカルーセル伝送方式を示す説明図である。
【００７３】
図５において、コンテンツＣは、ｎ個のモジュールＭ（Ｍ１，・・・，Ｍｉ，・・・，Ｍｎ）に分割されており、モジュールＭ１からモジュールＭｎまで、Ｎ周期、すなわちＮ回（Ｎ＝１，２，・・・）放送される。また、各モジュールＭは、１モジュールＭをさらに、ＤＤＢ（Ｄｏｗｎｌｏａｄ Ｄａｔａ Ｂｌｏｃｋ）と呼ばれる４［ＫＢ］のカルーセルパケットに分割されている。ここで、モジュールＭｉに注目すると、モジュールＭｉは、カルーセルパケットＰ（Ｐ１，・・・，Ｐｊ，・・・，Ｐｍ）に分割されており、モジュールＭ１からモジュールＭｎまで、Ｋ周期、すなわちＫ回（Ｋ＝２，３，・・・）放送される。
【００７４】
また、受信装置１０５では、順次放送されるカルーセルパケットを受信するが、受信装置１０５の受信状況により、受信したモジュールＭ内においてカルーセルパケットの欠落（取りこぼし）が発生する場合がある。図６において、１回目の放送では、モジュールＭｉのカルーセルパケットＰのうち、カルーセルパケットＰ３，Ｐ１２，Ｐ１３，Ｐ２５，Ｐ２８が欠落したカルーセルパケット（以下、「欠落パケット」という。）となっている。
【００７５】
そして、ｋ回目の放送終了までに、欠落パケットＰ３，Ｐ１２，Ｐ１３，Ｐ２５，Ｐ２８のうち、カルーセルパケットＰ３，Ｐ１２，Ｐ２５が補完されている。補完されたカルーセルパケットを「補完パケット」と称す。そして、図６においては、Ｋ回目の放送までに、残余の欠落パケットＰ１３，Ｐ２８が補完され、１回目の放送における欠落パケットＰ３，Ｐ１２，Ｐ１３，Ｐ２５，Ｐ２８がすべて補完されたこととなる。
【００７６】
また、モジュールＭもデータカルーセル伝送方式によりＮ回放送されるため、Ｋ回目の受信終了時点で欠落パケットが存在していても当該モジュールＭｉのつぎの放送時に、カルーセルパケットＰがＫ回放送されるため、欠落パケットを補完することができる。なお、Ｎ回の放送によっても、任意のモジュールＭに欠落パケットがある場合、当該モジュールＭは欠落モジュールとなる。
【００７７】
（実施の形態１）
（受信装置１０５の機能的構成）
つぎに、この発明の実施の形態１にかかる受信装置１０５の機能的構成について説明する。図７は、この発明の実施の形態１にかかる受信装置１０５の機能的構成を示すブロック図である。図７において、受信装置１０５は、受信部７０１と、判定部７０２と、取得部７０３と、結合部７０４と、記憶部７０５と、操作部７０６と、再生部７０７と、音声出力部７０８と、表示部７０９とから構成される。
【００７８】
まず、受信部７０１は、地上デジタルラジオ放送波としてデータカルーセル伝送方式によって周期的に放送される、任意のコンテンツＣを分割して得られた一連のモジュールＭを受信する。具体的には、図５に示したように、データカルーセル方式によって周期的にＮ回放送されている、コンテンツＣを分割して得られた一連のモジュールＭを受信する。この受信部７０１は、より具体的には、図４に示した放送波受信アンテナ４１０、チューナ４１１およびＯＦＤＭ復調器４１２を介して得られた一連のモジュールＭの入力を受け付ける。
【００７９】
この受信部７０１は、具体的には、たとえば、図４に示した放送波受信アンテナ４１０、チューナ４１１およびＯＦＤＭ復調器４１２によって、または、ＲＯＭ４０２、ＲＡＭ４０３などの記録媒体に記録されたプログラムをＣＰＵ４０１が実行することによってその機能を実現する。
【００８０】
また、判定部７０２は、地上デジタルラジオ放送波として放送されたすべてのモジュールＭが受信部７０１によって受信されたか否かを判定する。具体的には、図５において説明したように、欠落パケットを有するモジュールＭ（欠落モジュール）が発生しているか否かによって判定する。
【００８１】
すなわち、データカルーセル伝送方式による放送終了時点において、欠落モジュールがある場合は、すべてのモジュールＭが受信されていないと判定（受信エラー判定）され、各モジュールＭ内に欠落パケットがない場合は、すべてのモジュールＭが受信されたと判定される。この判定部７０２は、具体的には、たとえば、図４に示したＲＯＭ４０２、ＲＡＭ４０３などの記録媒体に記録されたプログラムをＣＰＵ４０１が実行することによってその機能を実現する。
【００８２】
また、取得部７０３は、判定部７０２によって判定された判定結果に基づいて、受信部７０１によって受信されなかったモジュールＭを、当該モジュールＭを記憶するサーバから通信回線を介して取得する。すなわち、データカルーセル伝送方式による放送終了時点において、欠落モジュールがある場合（受信エラー判定）は、当該モジュールＭを、コンテンツ管理サーバ１０１からデータ通信網１２０を介して取得する。
【００８３】
具体的には、受信装置１０５からコンテンツ管理サーバ１０１に対し、欠落モジュールの取得要求を、データ通信網１２０を介して送信する。コンテンツ管理サーバ１０１では、この取得要求を受信すると、この取得要求にかかる欠落モジュールを、取得要求を送信した受信装置１０５に対し通信回線を介して送信する。
【００８４】
また、取得部７０３は、判定部７０２によって、受信部７０１によりすべてのモジュールＭが受信されなかったと判定された場合、コンテンツＣを、当該コンテンツＣを記憶するサーバから通信回線を介して取得することとしてもよい。すなわち、データカルーセル伝送方式による放送終了時点において、欠落モジュールがある場合（受信エラー判定）は、当該コンテンツＣを、コンテンツ管理サーバ１０１からデータ通信網１２０を介して取得する。
【００８５】
具体的には、受信装置１０５からコンテンツ管理サーバ１０１に対し、コンテンツＣの取得要求を、データ通信網１２０を介して送信する。コンテンツ管理サーバ１０１では、この取得要求を受信すると、この取得要求にかかるコンテンツＣを、取得要求を送信した受信装置１０５に対し通信回線を介して送信する。この取得部７０３は、具体的には、たとえば、図４に示した通信Ｉ／Ｆ４０５によって、または、ＲＯＭ４０２、ＲＡＭ４０３などの記録媒体に記録されたプログラムをＣＰＵ４０１が実行することによって、その機能を実現する。
【００８６】
また、結合部７０４は、受信部７０１によって受信されたモジュールＭを結合して、コンテンツＣを生成する。具体的には、結合部７０４は、受信部７０１によって受信されたモジュールＭと取得部７０３によって取得されたモジュールＭとを結合してコンテンツＣを生成する。具体的には、各モジュールＭのヘッダ内の識別情報と位置情報を参照して、モジュールＭを順次結合して、元のコンテンツＣを構築する。この結合部７０４は、具体的には、たとえば、図４に示したＲＯＭ４０２、ＲＡＭ４０３などの記録媒体に記録されたプログラムをＣＰＵ４０１が実行することによって、その機能を実現する。
【００８７】
また、記憶部７０５は、結合部７０４による結合によって生成されたコンテンツＣ、または取得部７０３によって取得されたコンテンツＣを記憶する。この記憶部７０５は、具体的には、たとえば、図４に示したＲＡＭ４０３などの記録媒体によってその機能を実現する。操作部７０６は、電源投入やデータカルーセル伝送方式による受信開始、コンテンツ管理サーバ１０１に対する欠落モジュールまたはコンテンツＣの取得要求、記憶部７０５に記憶されたコンテンツＣの再生指示の入力をおこなう。この操作部７０６は、具体的には、たとえば、図４に示した入力キー４０７によってその機能を実現する。
【００８８】
また、再生部７０７は、記憶部７０５に記憶されたコンテンツＣの再生をおこなう。コンテンツＣの再生内容は、音声データとして音声出力部７０８から出力されるとともに、画像データ、テキストデータとして表示部７０９の表示画面に表示される。この再生部７０７は、具体的には、たとえば、図４に示したＲＯＭ４０２、ＲＡＭ４０３などの記録媒体に記録されたプログラムをＣＰＵ４０１が実行することによって、その機能を実現する。また、音声出力部７０８は、具体的には、たとえば、図４に示したスピーカ４０９によってその機能を実現し、表示部７０９は、具体的には、たとえば、図４に示したディスプレイ４０４によってその機能を実現する。
【００８９】
（受信装置１０５のコンテンツ受信処理手順）
つぎに、この発明の実施の形態１にかかるコンテンツ受信処理手順について説明する。図８〜図１０は、この発明の実施の形態１にかかるコンテンツ受信処理手順を示すフローチャートである。図８において、まず、目的のコンテンツＣの放送日の放送時間中である場合（ステップＳ８０１：Ｙｅｓ）、地上デジタルラジオ放送波、すなわち、一連のモジュールＭを受信する（ステップＳ８０２）。
【００９０】
すべてのモジュールＭが受信されていない場合（ステップＳ８０３：Ｎｏ）、すなわち、欠落モジュールがある場合、目的とするコンテンツＣの放送時間が終了していなければ（ステップＳ８０４：Ｎｏ）、ステップＳ８０２に移行して地上デジタルラジオ放送波の受信を継続する。一方、放送時間が終了した場合（ステップＳ８０４：Ｙｅｓ）、図９のステップＳ９０１に移行する。
【００９１】
一方、すべてのモジュールＭが受信された場合（ステップＳ８０３：Ｙｅｓ）、結合部７０４によるモジュール結合を実行する（ステップＳ８０５）。そして、操作部７０６による再生開始入力があった場合（ステップＳ８０６：Ｙｅｓ）、コンテンツＣを再生し（ステップＳ８０７）、音声出力部７０８から音声を出力、または、表示部７０９の表示画面に画像データまたはテキストデータを表示する。
【００９２】
また、放送時間が終了した場合（ステップＳ８０４：Ｙｅｓ）、図９において、コンテンツ管理サーバ１０１に、コンテンツＣの配信要求を送信する（ステップＳ９０１）。そして、コンテンツＣが受信された場合（ステップＳ９０２：Ｙｅｓ）、図８に示したステップＳ８０６に移行する。一方、コンテンツ管理サーバ１０１からコンテンツＣが受信されていない場合（ステップＳ９０２：Ｎｏ）、所定時間経過していなければ（ステップＳ９０３：Ｎｏ）、ステップＳ９０２に移行して、コンテンツＣの受信を待ち受ける。
【００９３】
一方、所定時間経過しているときは（ステップＳ９０３：Ｙｅｓ）、ステップＳ９０１の配信要求が所定回数されていない場合（ステップＳ９０４：Ｎｏ）、ステップＳ９０１に移行して、コンテンツＣの配信要求を送信する。一方、すでに配信要求が所定回数されている場合（ステップＳ９０４：Ｙｅｓ）、一連の処理を終了する。
【００９４】
この実施の形態１によれば、コンテンツＣが大容量の場合でも、モジュールＭに分割して地上デジタルラジオ放送波によって受信装置１０５に配信される。したがって、受信装置１０５からコンテンツＣの取得要求をおこなう必要がなく、データ通信網１２０などの通信回線が混雑することはない。これにより、通信回線やコンテンツ管理サーバ１０１の負担軽減を図ることができる。
【００９５】
また、地上デジタルラジオ放送波によってコンテンツＣを配信しているため、受信装置１０５が増加しても通信回線にはまったく影響はなく、大容量のコンテンツＣであっても高速にダウンロードすることができる。また、モジュールＭがすべて正常に受信できる限り、受信装置１０５からコンテンツＣの取得要求をおこなう必要がないため、取得要求の入力操作をおこなう手間がなくなり、目的とするコンテンツＣの放送時間中に受信装置１０５を起動しておくだけで、目的とするコンテンツＣを簡単にダウンロードすることができる。
【００９６】
また、地上デジタルラジオ放送では、１回に配信できるデータサイズはＡＲＩＢの技術規定である技術資料ＴＲ−Ｂ１３（技術資料名：地上デジタル音声放送運用規定）により最大で２５６［ＫＢ］と規定されているが、データカルーセル伝送方式を採用することにより、大容量のコンテンツＣを２５６［ＫＢ］以下のモジュールＭに分割して配信することができる。したがって、受信装置１０５のハードウェア構成は標準の構成で実現することができる。これにより、大容量のコンテンツＣを配信するため独自の規格によって受信装置１０５のハードウェア設計をする必要がなく、既存のハードウェアを用いて受信装置１０５を製造することができる。
【００９７】
また、受信状況によっては、コンテンツＣの放送時間が経過しても欠落モジュールが発生する場合がある。この場合でも、コンテンツ管理サーバ１０１からコンテンツＣの配信を受けることにより、コンテンツＣをダウンロードすることができ、コンテンツ配信サービスの利便性の向上を図ることができる。また、通信回線を用いる場合は、欠落モジュールが発生した場合に限定されるため、通信回線の混雑を緩和することができる。
【００９８】
なお、上述した実施の形態１では、欠落モジュールが発生した場合には、コンテンツＣをコンテンツ管理サーバ１０１からデータ通信網１２０を介して受信する構成について説明したが、欠落モジュールのみを受信する構成としてもよい。具体的には、図８において、放送時間が終了した場合（ステップＳ８０４：Ｙｅｓ）、図１０において、コンテンツ管理サーバ１０１に、欠落モジュールの配信要求を送信する（ステップＳ１００１）。そして、欠落モジュールが受信された場合（ステップＳ１００２：Ｙｅｓ）、図８に示したステップＳ８０５に移行する。一方、コンテンツ管理サーバ１０１から欠落モジュールが受信されていない場合（ステップＳ１００２：Ｎｏ）、所定時間経過していなければ（ステップＳ１００３：Ｎｏ）、ステップＳ１００２に移行して、コンテンツＣの受信を待ち受ける。
【００９９】
一方、所定時間経過しているときは（ステップＳ１００３：Ｙｅｓ）、ステップＳ１００１の配信要求が所定回数されていない場合（ステップＳ１００４：Ｎｏ）、ステップＳ１００１に移行して、欠落モジュールの配信要求を送信する。一方、すでに配信要求が所定回数されている場合（ステップＳ１００４：Ｙｅｓ）、一連の処理を終了する。このコンテンツＣの配信処理によっても、コンテンツ管理サーバ１０１から欠落モジュールのみの配信を受けることにより、コンテンツＣをダウンロードすることができ、コンテンツ配信サービスの利便性の向上を図ることができる。また、通信回線を用いる場合は、欠落モジュールが発生した場合に限定されるため、図９に示したコンテンツＣの配信をそのまま受ける場合に比べて、通信回線の混雑をより一層緩和することができる。
【０１００】
（実施の形態２）
つぎに、この発明の実施の形態２にかかる受信装置１０５について説明する。実施の形態２にかかる受信装置１０５は、あらかじめ暗号化されたコンテンツＣを分割したモジュールＭを地上デジタルラジオ放送波として配信する構成である。なお、実施の形態１で示した構成と同一構成については同一符号を付し、その説明を省略する。
【０１０１】
（受信装置１０５の機能的構成）
まず、この発明の実施の形態２にかかる受信装置１０５の機能的構成について説明する。図１１は、この発明の実施の形態２にかかる受信装置１０５の機能的構成を示すブロック図である。図１１において、受信装置１０５は、結合部７０４と記憶部７０５との間に復号部１１００を備えている。この復号部１１００は、結合部７０４によって結合されたコンテンツＣを復号する。復号の手法は、あらかじめコンテンツＣ配信サーバから付与されたパスワードなどの復号鍵データを入力することで、コンテンツＣを復号することができる。
【０１０２】
また、復号部１１００は、復号鍵データが付与されていない場合、取得部７０３から復号鍵データの配信要求を、コンテンツ管理サーバ１０１に送信することで、コンテンツ管理サーバ１０１から復号鍵データを取得することができる。そして、復号部１１００は、コンテンツ管理サーバ１０１から取得した復号鍵データを用いて、コンテンツＣを復号することができる。また、復号部１１００は、具体的には、たとえば、図４に示したＲＯＭ４０２、ＲＡＭ４０３などの記録媒体に記録されたプログラムをＣＰＵ４０１が実行することによって、その機能を実現する。
【０１０３】
（受信装置１０５のコンテンツ受信処理手順）
つぎに、この発明の実施の形態２にかかるコンテンツ受信処理手順について説明する。図１２は、この発明の実施の形態２にかかるコンテンツ受信処理手順を示すフローチャートである。なお、図９に示したフローチャートの処理手順が実行される場合には、図９中の「コンテンツ」は、暗号化された「コンテンツ」を意味する。図１２において、まず、目的のコンテンツＣの放送日の放送時間中である場合（ステップＳ１２０１：Ｙｅｓ）、地上デジタルラジオ放送波、すなわち、暗号化されたコンテンツＣを分割した一連のモジュールＭを受信する（ステップＳ１２０２）。
【０１０４】
すべてのモジュールＭが受信されていない場合（ステップＳ１２０３：Ｎｏ）、すなわち、欠落モジュールがある場合、目的とするコンテンツＣの放送時間が終了していなければ（ステップＳ１２０４：Ｎｏ）、ステップＳ１２０２に移行して地上デジタルラジオ放送波の受信を継続する。一方、放送時間が終了した場合（ステップＳ１２０４：Ｙｅｓ）、図９のステップＳ９０１（または、図１０のステップＳ１００１）に移行する。
【０１０５】
一方、すべてのモジュールＭが受信された場合（ステップＳ１２０３：Ｙｅｓ）、または、図１０に示したステップＳ１００２により欠落モジュールが受信された場合（ステップＳ１００２：Ｙｅｓ）、結合部７０４によるモジュール結合を実行する（ステップＳ１２０５）。
【０１０６】
このモジュール結合（ステップＳ１２０５）のあと、または、図９のステップＳ９０２において暗号化されたコンテンツＣが受信された場合（ステップＳ９０２：Ｙｅｓ）、復号鍵データがない場合（ステップＳ１２０６：Ｎｏ）、コンテンツ管理サーバ１０１に対し、復号鍵データの配信要求を送信する（ステップＳ１２０７）。
【０１０７】
そして、復号鍵データが受信されていない場合（ステップＳ１２０８：Ｎｏ）、所定時間経過していなければ（ステップＳ１２０９：Ｎｏ）、ステップＳ１２０８に移行して、復号鍵データの受信を待ちうける。一方、所定時間が経過していれば（ステップＳ１２０９：Ｙｅｓ）、復号鍵データの配信要求が所定回数されていない場合（ステップＳ１２１０：Ｎｏ）、ステップＳ１２０７に移行して、復号鍵データの配信要求を送信する。一方、復号鍵データの配信要求が所定回数された場合（ステップＳ１２１０：Ｙｅｓ）、一連の処理を終了する。
【０１０８】
また、ステップＳ１２０６において、すでに復号鍵データがある場合（ステップＳ１２０６：Ｙｅｓ）、または、ステップＳ１２０８において、復号鍵データが受信された場合（ステップＳ１２０８：Ｙｅｓ）、その復号鍵データを用いてコンテンツＣを復号する（ステップＳ１２１１）。そして、操作部７０６による再生開始入力があった場合（ステップＳ１２１２：Ｙｅｓ）、復号されたコンテンツＣを再生し（ステップＳ１２１３）、音声出力部７０８から音声を出力、または、表示部７０９の表示画面に画像データまたはテキストデータを表示する。そして、一連の処理を終了する。
【０１０９】
この実施の形態２によれば、上述した実施の形態１と同様の作用効果を奏することができる。また、実施の形態１では、ＡＲＩＢの標準規格・技術規定を用いて地上デジタルラジオ放送によってモジュールＭを配信しているため、受信装置１０５の受信機能が地上デジタルラジオ放送に対応していれば、誰でもモジュールＭを受信することができ、しかるべき結合を行うことによりコンテンツＣを取得することができる。しかしながら、実施の形態２では、コンテンツＣを復号することによってコンテンツＣの再生が可能になるため、コンテンツ配信サービスの利用者にのみ当該サービスを提供することができ、コンテンツ管理サーバ１０１側は、単にコンテンツＣを暗号化し復号鍵データを付与するという簡単な処理だけで、顧客の囲い込みの有効な手段として用いることができる。
【０１１０】
（実施の形態３）
つぎに、この発明の実施の形態３にかかる受信装置１０５について説明する。実施の形態１，２では、コンテンツＣまたは暗号化されたコンテンツＣを分割して得られた一連のモジュールＭを地上デジタルラジオ放送波として放送し、その一連のモジュールＭを受信することによってコンテンツＣをダウンロードする構成である。
【０１１１】
一方、実施の形態３は、一連のモジュールＭのうち、一部のモジュールＭ（以下、「未放送モジュール」という）を除いて地上デジタルラジオ放送波として放送し、当該未放送モジュールを、データ通信網１２０を介してコンテンツ管理サーバ１０１から取得することで、すべてのモジュールＭを取得し、コンテンツＣをダウンロードする構成である。実施の形態３の機能的構成は、図７に示した実施の形態１の受信装置１０５の機能的構成と同一であるため説明を省略する。
【０１１２】
（受信装置１０５のコンテンツ受信処理手順）
つぎに、この発明の実施の形態３にかかるコンテンツ受信処理手順について説明する。図１３は、この発明の実施の形態３にかかるコンテンツ受信処理手順を示すフローチャートである。図１３において、まず、目的のコンテンツＣの放送日の放送時間中である場合（ステップＳ１３０１：Ｙｅｓ）、地上デジタルラジオ放送波、すなわち、暗号化されたコンテンツＣを分割した一連のモジュールＭのうち一部のモジュールＭを除くモジュールＭを受信する（ステップＳ１３０２）。
【０１１３】
地上デジタルラジオ放送波として放送されたすべてのモジュールＭが受信されていない場合（ステップＳ１３０３：Ｎｏ）、すなわち、欠落モジュールがある場合、目的とするコンテンツＣの放送時間が終了していなければ（ステップＳ１３０４：Ｎｏ）、ステップＳ１３０２に移行して地上デジタルラジオ放送波の受信を継続する。一方、放送時間が終了した場合（ステップＳ１３０４：Ｙｅｓ）、図９のステップＳ９０１（または、図１０のステップＳ１００１）に移行する。
【０１１４】
一方、地上デジタルラジオ放送波として放送されたすべてのモジュールＭが受信された場合（ステップＳ１３０３：Ｙｅｓ）、または、図１０に示したステップＳ１００２により欠落モジュールが受信された場合（ステップＳ１００２：Ｙｅｓ）、コンテンツ管理サーバ１０１に対しデータ通信網１２０を介して、未放送モジュールの配信要求およびユーザ識別情報（ユーザＩＤ、パスワード、指紋などの生体情報など）を送信する（ステップＳ１３０５）。
【０１１５】
そして、ユーザ認証されなかった場合（ステップＳ１３０６：Ｎｏ）、一連の処理を終了する。一方、ユーザ認証された場合（ステップＳ１３０６：Ｙｅｓ）未放送モジュールの受信を待ち受ける（ステップＳ１３０７）。未放送モジュールが受信されていない場合（ステップＳ１３０７：Ｎｏ）、所定時間経過していなければ（ステップＳ１３０８：Ｎｏ）、ステップＳ１３０７に移行して、未放送モジュールの受信を待ちうける。
【０１１６】
一方、所定時間が経過していれば（ステップＳ１３０８：Ｙｅｓ）、未放送モジュールの配信要求が所定回数されていない場合（ステップＳ１３０９：Ｎｏ）、ステップＳ１３０５に移行して、未放送モジュールの配信要求およびユーザ識別情報を送信する。一方、未放送モジュールの配信要求が所定回数された場合（ステップＳ１３０９：Ｙｅｓ）、一連の処理を終了する。
【０１１７】
また、ステップＳ１３０７において、未放送モジュールが受信された場合（ステップＳ１３０７：Ｙｅｓ）、結合部７０４によるモジュール結合を実行する（ステップＳ１３１０）。このモジュール結合（ステップＳ１３１０）のあと、または、図９のステップＳ９０２においてコンテンツＣが受信された場合（ステップＳ９０２：Ｙｅｓ）、操作部７０６による再生開始入力があると（ステップＳ１３１１：Ｙｅｓ）、コンテンツＣを再生し（ステップＳ１３１２）、音声出力部７０８から音声を出力、または、表示部７０９の表示画面に画像データまたはテキストデータを表示する。そして、一連の処理を終了する。
【０１１８】
この実施の形態３によれば、上述した実施の形態１と同様の作用効果を奏することができる。また、実施の形態１では、ＡＲＩＢという標準規格を用いて地上デジタルラジオ放送によってモジュールＭを配信しているため、受信装置１０５の受信機能が地上デジタルラジオ放送に対応していれば、誰でもコンテンツＣを取得することができる。
【０１１９】
しかしながら、実施の形態３では、未放送モジュールをコンテンツ管理サーバ１０１から取得するだけで、コンテンツＣをダウンロードすることができる。特に、ユーザ認証を用いて未放送モジュールの配信をコンテンツ配信サービスの利用者にのみ限定することにより、この特定の利用者にのみ、当該サービスを提供することができ、コンテンツ管理サーバ１０１側は、単に未放送モジュールを、データ通信網１２０を介して送信するという簡単な処理だけで、顧客の囲い込みの有効な手段として用いることができる。
【０１２０】
以上説明したように、この発明の実施の形態にかかる受信装置１０５によれば、コンテンツＣの配信元と配信先との間における通信回線の混雑を解消するとともに、コンテンツＣ配信の利便性の向上を図ることができるという効果を奏する。
【０１２１】
なお、本実施の形態で説明した受信方法は、予め用意されたプログラムをパーソナル・コンピュータで実行することにより実現することができる。このプログラムは、ハードディスク、フレキシブルディスク、ＣＤ−ＲＯＭ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【０１２２】
以上のように、本発明にかかる受信装置、受信方法、および受信プログラムは、コンテンツを視聴可能な携帯電話機、携帯型ラジオ、受信機を搭載した車載オーディオ、カーナビゲーション装置、ＰＤＡ、パーソナル・コンピュータ、ＰＤＡ／パーソナル・コンピュータ用の受信アダプタなどの受信端末に有用であり、特に、携帯型の受信端末に適している。
【図面の簡単な説明】
【０１２３】
【図１】この発明の実施の形態にかかるコンテンツ配信システムのシステム構成を示す説明図である。
【図２】コンテンツ管理サーバおよび放送局サーバのハードウェア構成を示すブロック図である。
【図３】放送装置のハードウェア構成を示すブロック図である。
【図４】受信装置のハードウェア構成を示すブロック図である。
【図５】この発明の実施の形態にかかる放送装置におけるデータカルーセル伝送方式を示す説明図である。
【図６】この発明の実施の形態にかかる受信装置におけるデータカルーセル伝送方式を示す説明図である。
【図７】この発明の実施の形態１にかかる受信装置の機能的構成を示すブロック図である。
【図８】この発明の実施の形態１にかかるコンテンツ受信処理手順を示すフローチャートである（その１）。
【図９】この発明の実施の形態１にかかるコンテンツ受信処理手順を示すフローチャートである（その２）。
【図１０】この発明の実施の形態１にかかるコンテンツ受信処理手順を示すフローチャートである（その３）。
【図１１】この発明の実施の形態２にかかる受信装置の機能的構成を示すブロック図である。
【図１２】この発明の実施の形態２にかかるコンテンツ受信処理手順を示すフローチャートである。
【図１３】この発明の実施の形態３にかかるコンテンツ受信処理手順を示すフローチャートである。
【図１４】従来のコンテンツ配信システムを示す概略構成図である。
【図１５】従来のコンテンツ配信システムのシーケンス図である。
【符号の説明】
【０１２４】
１００  コンテンツ配信システム
１０１  コンテンツ管理サーバ
１０２  基地局
１０３  放送局サーバ
１０４  放送装置
１０５  受信装置
１１０  インターネット網
１２０  データ通信網
７０１  受信部
７０２  判定部
７０３  取得部
７０４  結合部
７０５  記憶部
７０６  操作部
７０７  再生部
７０８  音声出力部
７０９  表示部
Ｍ  モジュール
Ｐ  カルーセルパケット
【図１】
2006319461.tif 000003
【図２】
2006319461.tif 000004
【図３】
2006319461.tif 000005
【図４】
2006319461.tif 000006
【図５】
2006319461.tif 000007
【図６】
2006319461.tif 000008
【図７】
2006319461.tif 000009
【図８】
2006319461.tif 000010
【図９】
2006319461.tif 000011
【図１０】
2006319461.tif 000012
【図１１】
2006319461.tif 000013
【図１２】
2006319461.tif 000014
【図１３】
2006319461.tif 000015
【図１４】
2006319461.tif 000016
【図１５】
2006319461.tif 000017